Podtech/llm-jp-corpus-v4-ja_patent huggingface dataset:
(57)【要約】【課題】肌用腰巻ポシエットは、ポシエットに平ゴムテープを付け長さを調整しマジックテープで止める。肌用腰巻ポシエトを提供する。【解決手段】肌用腰巻ポシエット（１）晒し布に接着芯を設ける（２）ポシエット袋にファスナーを設ける（３）平ゴムテープを設け長さを調製し、マジックテープで止める。  肌用腰巻ポシエットを特徴とする。【特許請求の範囲】
【請求項１】
肌用腰巻ポシエット（１）晒し布に接着芯を貼る（２）ポシエット袋にファスナーを設ける（２）に平ゴムテープを設け、長さを調製する。（３）マジックテープを設け、平ゴムテープに付ける。
この技術的な肌用腰巻ポシエットの部分が私の権利です。
【発明の詳細な説明】
【技術分野】
【０００１】  この発明は肌用腰巻ポシエットに平ゴムテープを設け、肌用腰巻ポシエットに関するものである。
【背景技術】
【０００２】  従来、貴重品を腹巻に入れて外出していた。
【先行技術文献】
【特許文献】
【０００３】
【特許文献１】  特開００００−００００００号公報
【発明の概要】
【発明が解決しようとする課題】
【０００４】  これは、次のような欠点があつた。従来、貴重品を腹巻に入外出していると、着膨れし困っていた。肌用腰巻ポシエットにすると手っ取り早くて簡単である。
本発明は、以上のような欠点をなくすために、なされたものである。
【課題を解決するための手段】
【０００５】肌用腰巻ポシエットの晒し布（１）に接着芯を設ける。（２）ポシエット袋にファスナーを設ける。（３）平ゴムテープを設け長さを調製する。
（３）にマジックテープを設ける。
本発明は、以上の構成よりなる肌用腰巻ポシエットである。
【発明の効果】
【０００６】  肌用腰巻ポシエットは、軽く手っ取り早く便利である．
【図面の簡単な説明】
【０００７】
【図１】  本発明の平面図である。
【図２】  本発明の見本である。
【発明を実施するための形態】
【０００８】  以下、本発明を実施するための形態について説明する。
肌用腰巻ポシエット（１）晒し布に接着芯を貼る（２）ポシェット袋にファスナーを設ける（２）に平ゴムテープを付け長さを調製する。（３）
（３）にマジックテープを設ける。
本発明は、以上のような構造である。
これを使用する時は、薄くて、手っ取り早くて簡単である。
【符号の説明】
【０００９】  １肌用腰巻ポシエット    ２晒し布    ３接着芯    ４ファスナー
５平ゴムテープ    ６マジックテープ
【図１】
2015047483.tif 000002
【図２】
2015047483.tif 000003
(57)【要約】      （修正有）【課題】薄くて、貴重品の出し入れが簡単な肌用ポシエットを提供する【解決手段】肌用ポシエットにおいて、（１）晒し布に接着芯を設ける（２）ポシエット袋にファスナーを設ける（３）平ゴムテープを設け長さを調製し、（４）マジックテープ（登録商標）で止める。【選択図】図２
2015047482.tif 000002
【特許請求の範囲】
【請求項１】
肌用ポシエット（１）晒し布に接着芯を貼る（２）ポシエット袋にファスナーを設ける（２）に平ゴムテープを設け、長さを調製する。（３）マジックテープを設け、平ゴムテープに付ける。
この技術的な肌用ポシエットの部分が私の権利です。
【発明の詳細な説明】
【技術分野】
【０００１】  この発明は肌用ポシエットに平ゴムテープを設け、肌用ポシエットに関するものである。
【背景技術】
【０００２】  従来、貴重品を腹巻に入れて外出していた。
【先行技術文献】
【特許文献】
【０００３】
【特許文献１】  特開００００−００００００号公報
【発明の概要】
【発明が解決しようとする課題】
【０００４】  これは、次のような欠点があった。
従来、貴重品を腹巻に入れ外出していると、着膨れし困っていた。肌用ポシエットにすると手っ取り早くて簡単である。
本発明は、以上のような欠点をなくすために、なされたものである。
【課題を解決するための手段】
【０００５】肌用ポシエットの晒し布（１）に接着芯を設ける。（２）ポシエット袋にファスナーを設ける。（３）平ゴムテープを設け長さを調製する。
（３）にマジックテープを設ける。
本発明は、以上の構成よりなる肌用ポシエットである。
【発明の効果】
【０００６】  肌用ポシエットは、軽く手っ取り早く便利である．
【図面の簡単な説明】
【０００７】
【図１】  本発明の平面図である。
【図２】  本発明の見本である。
【発明を実施するための形態】
【０００８】  以下、本発明を実施するための形態について説明する。
肌用ポシエット（１）晒し布に接着芯を貼る（２）ポシエット袋にファスナーを設ける（２）に平ゴムテープを付け長さを調製する。（３）
（３）にマジックテープを設ける。
本発明は、以上のような構造である。
これを使用する時は、薄くて、手っ取り早くて簡単である。
【符号の説明】
【０００９】  １肌用ポシエット    ２晒し布    ３接着芯    ４ファスナー
５平ゴムテープ    ６マジックテープ
【図１】
2015047482.tif 000003
【図２】
2015047482.tif 000004
(57)【要約】      （修正有）【課題】従来の腰痛に対応した方法は、ゴム素材やプラスチックを使用して作られたベルト状のコルセットを腰廻りに巻いたり、針灸、牽引、マッサージ、病院で処方される塗り薬を塗布するものであるが、次のような欠点があった。（イ）コルセットは、効果が一時的で持続しない（ロ）腰廻りにきつく巻いて装着する為、圧迫感がある。（ハ）腰を屈めたり身体を動かす作業の時、コルセットが腰椎からずれてしまう。（ニ）夏に装着すると暑く、腰廻りに汗をかく。（ホ）効果の割には値段が高い。（２０００円〜７０００円）（ヘ）針灸、牽引、マッサージ、塗り薬は効果が一時的で持続しない。（ト）履き物によって腰痛の改善を図るものはほとんど見当らなかった。【解決手段】履いた時に、底の高さを重心が後ろに来るように履き物のつま先部を踵部よりも高く約１５度から２０度の傾斜角になるように形成する。以上を特徴とする腰痛解消スリッパ。【選択図】図１
2015047489.tif 000002
【特許請求の範囲】
【請求項１】
履き物（スリッパなど）を履いた時に、底の高さを重心が後ろに来るように、履き物のつま先部を踵部よりも高く約１５度から２０度の傾斜角になるように形成したことを特徴とする腰痛解消スリッパ。
【発明の詳細な説明】
【技術分野】
【０００１】  本発明はスリッパ等の室内履きを利用して、姿勢を正しくすることにより腰痛の改善と解消を計るものである。
【背景技術】
【０００２】  従来、靴やスリッパ等の履き物は、つま先部が低く踵が高く重心が前になっているものが一般的である。腰痛の緩和を目指した履物はほとんどない。
【発明の概要】
【発明が解決しようとする課題】
【０００３】  従来の腰痛に対応した方法は、ゴム素材やプラスチックを使用して作られたベルト状のコルセットを腰廻りに巻いたり、針灸、マッサージ、病院で処方される塗り薬を塗布するものであるが、次のような欠点があった。
（イ）コルセットは、効果が一時的で持続しない。
（ロ）腰廻りにきつく巻いて装着する為、圧迫感がある。
（ハ）腰を屈めたり身体を動かす作業の時、コルセットが腰椎からずれてしまう。
（ニ）夏に装着すると暑く、腰廻りに汗をかく。
（ホ）効果の割には値段が高い。（２０００円〜７０００円）
（ヘ）針灸、牽引、マッサージ、塗り薬は効果が一時的で持続しない。
（ト）履き物によって腰痛の改善を図るものはほとんど見当らなかった。
本発明は、以上の問題点を解決する為になされたものである。
【課題を解決するための手段】
【０００４】  履き物（スリッパなど）を履いた時に、底の高さを重心が後ろに来るように、履き物のつま先部を踵部よりも高く約１５度から２０度の傾斜角になるように形成する。
以上を特徴とする腰痛解消スリッパである。
【発明の効果】
【０００５】  腰痛は姿勢が悪かったり、前かがみの時、腰椎（腰骨）が脊柱管の神経に触れる為に起る。重心を後ろにすることにより、腰椎が神経に触れることが無くなり痛みが解消する。
【図面の簡単な説明】
【０００６】
【図１】  本発明の斜視図
【図２】  本発明の使用状態を示す斜視図
【発明を実施するための形態】
【０００７】  以下本発明の実施の形態を説明する。
本発明は、つま先部が高く踵部が低い構造であり使用する時は、踵部より足を入れて履く。
【図１】
2015047489.tif 000003
【図２】
2015047489.tif 000004
(57)【要約】      （修正有）【課題】ウェットスーツの裾に履く事で、裾からの水の浸入を防ぐ事が出来る二重構造式の水中スポーツ用ブーツを提供する。【解決手段】ブーツの履き口を二重構造にして、ブーツの中側の履き口１をウェットスーツの裾口の中に入れ、ブーツの外側の履き口２をウェットスーツの裾口の外側して、ウェットスーツ裾口を挟み込み、防水性を高める事が出来る二重構造式の水中スポーツ用ブーツ。【選択図】図１
2015047485.tif 000002
【特許請求の範囲】
【請求項１】
ブーツの履き口を二重構造にして、ブーツの内側の履き口をウェットスーツの裾口の中に入れ、ブーツの外側の履き口をウェットスーツの裾口の外側して、ウェットスーツ裾口を挟み込み、防水性を高める事が出来る事を特徴とする二重構造式の水中スポーツ用ブーツ。
【発明の詳細な説明】
【技術分野】
【０００１】本発明は、ウェットスーツの裾に履く事で、裾からの水の浸入を防ぐ事が出来る二重構造式の水中スポーツ用ブーツに関するものである。
【背景技術】
【０００２】従来、履き口が一枚構造式の水中スポーツ用ブーツはあった。
【発明の概要】
【発明が解決しようとする課題】
【０００３】その為、次のような問題があった。
（イ）履き口が一枚の為、ウェットスーツの裾とブーツの履き口の隙間からウェットスーツ内部に水が大量に侵入し、ウェットスーツの保温性が悪かった。
（ロ）ブーツ内部にも水が侵入する為、ブーツの保温性も悪かった。
（ハ）ブーツ内部に水が侵入する為、ブーツのフィット性が劣った。
【課題を解決するための手段】
【０００４】ブーツの履き口を二重構造にして、ブーツの内側の履き口をウェットスーツの裾口の中に入れ、ブーツの外側の履き口をウェットスーツの裾口の外側して、ウェットスーツ裾口を挟み込み、防水性を高めた。
以上を特徴とする二重構造式の水中スポーツ用ブーツ
【発明の効果】
【０００５】ウェットスーツの裾口からの水の侵入が無くなり、且つブーツ内部にも水の浸入が無くなるので、ウェットスーツとブーツの保温性が高くなり、ブーツのフィット性も高くする事が出来る。
【図面の簡単な説明】
【０００６】
【図１】本発明の全体図
【図２】本発明の外側履き口をめくった全体図
【図３】本発明の本体の断面図
【図４】本発明の本体にスーツの裾を挟み込んだ断面図
【発明を実施するための最良の形態】
【０００７】以下、本発明の実施の形態について説明する。
（イ）  つま先部（３）とかかと部（５）と靴底部（４）を接合する
（ロ）  中側履き口部（１）と外側履き口部（２）を接合する
（ハ）  （イ）と（ロ）を接合する
本発明は以上のような構成で、これを履く時はウェットスーツを着用後、（６）のウェットスーツ裾口をめくりブーツを履き、（２）の外側履き口をめくり、（６）のウェットスーツ裾口を（１）の中側履き口に被せ、（２）の外側履き口を（６）ウェットスーツ履き口の上に被せて、（６）のウェットスーツ裾口を挟み込む事で水の浸入を防ぐ事が出来る。
【符号の説明】
【０００８】  １  中側履き口
２  外側履き口
３  つま先部
４  靴底部
５  かかと部
６  ウェットスーツ裾口
【図１】
2015047485.tif 000003
【図２】
2015047485.tif 000004
【図３】
2015047485.tif 000005
【図４】
2015047485.tif 000006
(57)【要約】      （修正有）【課題】支払い時スムーズに小銭を手のひらに取り出せ、小銭と紙幣が分けられ、紙幣の間に小銭がはまって出にくくなることの無い、また、財布を落としても鈴の音で気づき、鍵を持ってくるのを忘れないようにした小銭パパット財布を提供する。【解決手段】財布の上下にファスナー１，２を付け、下のファスナー２を開けると小銭が飛び出し手のひらに載るよう、お金を入れる時、財布の中に仕切りを付け紙幣と小銭を分けて入れる。仕切りのどちら側に入れればいいのか間違えないよう、カードケースを手前に見て、仕切りの裏側に小銭を入れる。また財布を開けた時は、シールを貼ってある側に入れる。落下及び鍵を持ち忘れないため、鈴や鍵を付ける金具を取りつける。【選択図】図２
2015047487.tif 000002
【特許請求の範囲】
【請求項１】
財布の下にファスナー（２）を取りつけ、ここを開けることで、小銭をさっと取り出せる小銭パパット財布。
【請求項２】
請求項１の財布に中仕切り（５）を付けることで、小銭が紙幣にはまらず小銭のみをさっと取り出せる小銭パパット財布。
【請求項３】
請求項１の財布のファスナー（１）を開けた時、中のシール（８）で小銭を入れる場所がわかる小銭パパット財布。
【請求項４】
請求項１の財布の金具（１０）に鈴や鍵を付け、鈴の音で落下を防止し、又鍵を持ち忘れることがなくなる小銭パパット財布。
【発明の詳細な説明】
【技術分野】
【０００１】  本発明は、下のファスナーを開けると小銭のみを取り出す事が出来、落下に気づく他、鍵を持ち忘れないようにした財布に関するものである。
【背景技術】
【０００２】  従来の財布は、札束と小銭を別々に分けるか、小銭のみを入れる財布が多かった。
【発明の概要】
【発明が解決しようとする課題】
【０００４】  従来の財布は次のような欠点があった。
（イ）財布から小銭を出す場合、ひっくり返して小銭を出すか、小銭入れを広げて取り出す場合は手を突っ込んで出すか、なのでさっと取り出す事が出来ない。
（ロ）財布を落としても気づかないことがある。
本発明は、以上の問題点を解決するために発明されたものである。
【課題を解決するための手段】
【０００５】  財布下にファスナー（２）をつけ、小銭を取り出す。小銭と紙幣を分けて入れるため、仕切り（５）を付ける。財布の中にシール（８）を２か所貼る。鈴、鍵をつけるため金具（１０）を取りつける。
以上の構成よりなる小銭パパット財布。
【発明の効果】
【０００６】  本発明を使用することによって、買い物の支払いをする時、手のひらに小銭をスッと取り出せるのでとりわけやすい。又カードケースとなる側の仕切りの奥が小銭入れ、その反対側が紙幣入れと分けてあるので、折った紙幣の間に小銭がはさまることなく、下のファスナーを開けると小銭のみが取り出せる。又上のファスナーを開ければ、財布の中の２か所のシールで、小銭を入れる場所が確認でき、カード入れも有り、金具に鈴を付ければ、鈴の音で落下に気づく他、鍵を付ければ、持ち忘れ防止にもなる。
【図面の簡単な説明】
【０００７】
【図１】本発明の財布の裏を工夫した図
【図２】本発明の財布の前面図
【図３】本発明の財布のファスナーを開けた図
【図４】本発明の財布の裏面図
【発明を実施するための形態】
【０００８】  以下、本発明の実施の形態を説明する。
（イ）財布の底を丸めに裁断し、その裏側の底に２か所穴を開けた１ｃｍ幅のプラ板（３      ）を当て、この穴に布テープ（４）でプラ板（３）が少し湾曲になるよう糸でくく      り、布を当てて裏側をくるむ。
（ロ）ファスナー（１、２）を上下に縫いつける。
（ハ）小銭と紙幣を分ける仕切り（５）をファスナー（２）が開くよう片側に縫いつける      。
（ニ）紙幣を入れる側にカードを入れるカバー（６）を取りつけ、カードが飛び出ないよ      うにアメリカンホック（９）をつける。
（ホ）ファスナー（２）を開けると下が開く側に、金具（１０）を取りつけ鍵を取りつけ      た場合、落ちないようカバー（７）を付け、アメリカンホック（９）をつける。
（ヘ）財布の中に、小銭を入れる場所だとわかるように、シール（８）を２か所貼る。
（ト）鍵や大きな鈴を付けるため、金具（１０）をカシメでとめる。
本発明は、以上の構成によりなる。
本発明を使用する場合は、上のファスナー（１）をあけ、カードケース側（６）の仕切り（５）に紙幣を入れ、小銭は金具（１０）側及びシール（８）の貼ってある場所に入れる。小銭を取り出す時は下ファスナー（２）を開け、右手で底の部分を左右に押さえ、左の手のひらで受ける。押さえても出にくい時は、財布を上下に振る。お金を戻す時は、下のファスナー（２）を閉じ上のファスナー（１）を開けて、小銭は金具（１０）側の仕切り（５）の前及びシール（８）を目印に入れ、紙幣はその反対側に入れる。ポイントカード等はカバー（６）に入れる。鍵や鈴を金具（１０）に付ける。鍵の落下が不安なら、カバー（７）に入れる。
【符号の説明】
【０００９】１    ファスナー
２    ファスナー
３    プラ板
４    布テープ
５    仕切り
６    カバー（カードケース用）
７    カバー（鍵落下防止用）
８    シール
９    アメリカンホック
１０  金具
【図１】
2015047487.tif 000003
【図２】
2015047487.tif 000004
【図３】
2015047487.tif 000005
【図４】
2015047487.tif 000006
(57)【要約】      （修正有）【課題】一枚形状のタオルを、肩や腰、尻、首などに巻き付けて簡単に結び留めることができる巻きタオルを提供する。【解決手段】本体部１の両端に切れ目２，３を設け、両端に結び目片４，５を有した巻きタオルとした。また、本体部１と切れ目片２，３に、ホック、ボタン、面ファスナーなどの係止具７を設け、簡単に本体部１と結び目片４，５を留め合わせることが出来る構造とした。【選択図】図１
2015047484.tif 000002
【特許請求の範囲】
【請求項１】
タオル本体の両脇に切れ目を設け、両端に結び目片を有した巻きタオル。
【請求項２】
切れ目を一枚形状に留め合わせるために、係止具を設けた請求項１の巻きタオル。
【発明の詳細な説明】
【技術分野】
【０００１】  本発明は、従来のタオルやタオル以外でもバスタオル、ハンドタオル、ハンカチ、ブランケット、ビニールシートなどに関するものである。
【技術背景】
【０００２】  従来のタオルは、四角い一枚形状のものが一般的であった。
【発明の概要】
【発明が解決しようとしている課題】
【０００３】  一枚形状のタオルを、肩や腰、尻、首などに巻き付けて簡単に結び留めることが出来なかった。
本発明は、以上の問題点を解決するためになされたものである。
【課題を解決するための手段】
【０００４】  タオルの両端に切れ目を入れ、結び目片を設ける。本体部を肩、腰、尻、首などの部位に巻きつけ、両端に設けた結び目片で結び使用する。また、洗濯、収納などの用途には一枚形状のタオルであると便利なため、本体部と切れ目片に、ホック、ボタン、面ファスナーなどの係止具を設け、簡単に本体部と結び目片を留め合わせることが出来る構造にする。
【発明の効果】
【０００５】  本体部を肩、腰、尻、首などの部位に巻きつけ、両端に設けた切れ目片を結ぶことによって、簡単にタオルを体に結び留めることが出来る。
【０００６】  肩に巻いた場合、入浴、入水後などの汗、髪からの水滴などの不快感も解消され、髪を乾かす際にも便利である。また、屋外での日焼け対策にもなる。
【０００７】  腰に巻いた場合、入浴後や着替え時などに便利である。
【０００８】  尻に巻いた場合、子供が尻部を水や泥などで汚してしまった場合、車のシートなどに座る際に汚れよけになる。また、野外や地面に座る際にも衣類の汚れを防ぐことが出来る等の利点がある。
【０００９】  首に巻いた場合、ハンドタオル大では赤ちゃんや子供のよだれかけや前掛けになる。
【図面の簡単な説明】
【００１０】
【図１】本発明の正面図
【図２】本発明の肩部使用状態図
【図３】本発明の腰部使用状態図
【発明を実施するための形態】
【００１１】  以下、本発明の実施形態を説明する。
（イ）タオルの本体部に切れ目（２）（３）を入れ、本体部（１）と結び目片（４）（５）を設ける。同様にタオル以外でもバスタオル、ハンドタオル、ブランケット、ビニールシートなどに用いられてもよい。
（ロ）切れ目（２）（３）で切り離れた本体部（１）と結び目片（４）（５）を、洗濯、収納時などの用途では一枚形状に留め合わせられるように、斜線部（６）の所に係止具（７）を取り付ける。係止具（７）はホック、ボタン、面ファスナー等を用いてよい。係止具（７）は、タオルの長さに応じて必要数取り付ければよい。
本発明は以上のような構造である。
本発明を使用するときは、図２に示すように肩に結ぶ場合には本体部（１）を肩にのせ、結び目片（４）（５）を首前で交差させ、結び目片（４）（５）を結ぶ。また、図３に示すように腰に結ぶ場合には本体部（１）を腰に巻き、結び目片（４）（５）を腹部で交差させ、結び目片（４）（５）で結ぶ。首に結ぶ場合は本体部（１）を前首に巻き、結び目片（４）（５）を首の後ろで交差させ、結び目片（４）（５）で結ぶ。また、洗濯、収納時などの用途によっては本体部（１）と切れ目片（４）（５）を斜線部（６）の所に設けた係止具（７）で留め合わせて使用する。
【符号の説明】
【００１２】１本体部、２切れ目、３切れ目、４結び目片、５結び目片、６斜線部、７係止具
【図１】
2015047484.tif 000003
【図２】
2015047484.tif 000004
【図３】
2015047484.tif 000005
(57)【要約】      （修正有）【課題】タオルを歪んだ状態で干すことを解消し、重複して共用使用しないですみ、顔や手足の使用部位の使いわけが容易で、折りたたみが容易にできるスリット付タオルを提供する。【解決手段】四角形状のタオル類・寝具類・敷物類のタオル１０にスリット部２、２０、３０、４０を設け、スリット部２、２０、３０，４０は、長辺方向中央部上下の「スリットＡ」２，２０は拡開した部分に位置調整支持体とした機能を有し、短辺方向中央部右側の「スリットＢ」３０、、短辺方向中央部左側の「スリットＣ」４０のタオルのスリットＢ・Ｃ部分のデザインを変えて、貫通して縫着した。【選択図】図１
2015047216.tif 000002
【特許請求の範囲】
【請求項１】
四角形状のタオル類・寝具類・敷物類を（以下（１０）を「タオル」いう ）従来の機能を損なわずに欠成し改良してスリット部を設けた、図１の長辺方向中央部上下( 以下（２０）を「スリットＡ」という ）は拡開した部分に位置調整支持体とした機能を有し、さらに短辺方向中央部右側( 以下（３０）を「スリットＢ」という ）に、短辺方向中央部左側( 以下（４０）を「スリットＣ」という ）タオルのスリットＢ・Ｃ部分のデザインを変えて、貫通して縫着した事を特徴とするスリット付タオル。
【請求項２】
前項のスリットＡの部分はノンスリップ生地で構成されて、タオルを２つ折りにして載置する事を目的で、スリットＢ・Ｃは表面と裏面のデザインや色を変える事によって、使用する面が判別できて、フック等に吊持用として、或いは浴室で背中を洗うときにスリットＢ・Ｃの穴に両親指を通してスッキリ洗える特長をもって、それぞれのスリット部の外形は、Ａは半オーバル形・Ｕ字形・Ｉ字形・V字形等で、さらにスリットＢ・Ｃはハート形・ひし形・オーバル形・三角形・円形等で、請求項１記載のスリット付タオル。
【請求項３】
本考案は、視覚障害者にとって、指先でタオルのスリット部Ａ・Ｂ・Ｃのクロックポジションの位置が判明することで、タオルを使用するにあたって、着脱自在にピンチ等の挟み具も使用しないで落下防止を可能した。
さらに介助者の補助なしで、効率よくスリット部分がガイドとして、タオルを簡単に２つ折りにして、絞る時や折りたたみ収納時に利用ができる事を特徴としたスリット付タオル。
【発明の詳細な説明】
【技術分野】
【０００１】
本発明は、一般の家庭や各種施設等で使用されている、四角形状のタオルを、従来の機能を損なわずに欠成し改良して、スリットＡ・Ｂ・Ｃを加えた事に関するものである。
【背景技術】
【０００２】
従来のタオルは様々な問題点があった。
洗濯後にタオルを乾燥させる時に、特に大きいシーツ等は基準なる印が無いために、不均等から歪んだ状態で落下するので、ピンチ等の挟み具が必要であった。
或いはタオルの裏表を重複して使用することや、顔や手足の使用部位の使い分けも判別ができない欠点があった。
【先行技術文献】
【特許文献】
【０００３】
【特許文献１】特開２００２−３１５６２６号    公開番号
【特許文献２】特開２００６−２７１９３２号    公開番号
【発明の概要】
【発明が解決しようとする課題】
【０００４】
本考案は、上記従来技術を解決することを課題とする。
具体的には、特に大きいシーツ等を室内外で乾燥させるのに、竿に挟み具等を使用して固定していたが、スリットＡの部分が位置調整支持体として、ノンスリップ加工をした事で落ちにくくして、タオルを歪んだ状態で干すことも解消され、或いはスリット部の表面と裏面のデザインや染色等を変える事によって、一枚のタオルの同じ面が判明することによって、重複して共用使用しないですみ、顔や手足の使用部位の使いわけも、スリット部分がガイドとなって、タオルを簡単に２つ折りにして、絞る時や折りたたみ収納時に利用ができる事を特徴としたスリット付タオル。
【課題を解決するための手段】
【０００５】
そして、本発明の上記目的を達成するために、四角形状のタオルにスリットＡ・Ｂ・Ｃを設けることによって、屋内でタオルを毎回使用時に挟み具をつかうと、非常に使い勝手も悪いので、使用者の要望を満足させて美観的にも優ぐれた事を手段とするスリット付タオル。
【０００６】
前項のスリットＡの拡開部分は、屋外で使われている竿の外形寸法を基準として、さらにスリットＢ・Ｃの貫通穴に親指がとおる程度の大きさにしたスリット付タオル。
【発明の効果】
【０００７】
本発明はスリット付タオルで構成されている、以下に記載されるような効果を奏する。
スリットＡ・Ｂ・Ｃの位置調整支持体を設けたことによって、タオルを干すときに歪んだ状態で干すことも解消されて、滑り落ちにくく洗濯ピンチ等などが不要となった。
さらに、スリット部表面と裏面のデザインや色を変えることで領域が判別されて、一枚のタオルを家庭では家族の個人別に、たとえば・パパ・ママ・アタシ・ボクというようスリット部を境にタオルの面が判明して、或いは感染症予防の観点から介護施設や病院等で、同じ面を繰り返し使用しないで済み、加えて顔や手足の使用部位の面も判明することで衛生的に使用できることを特徴とした請求項記載のスリット付タオル。
【図面の簡単な説明】
【０００８】
【図１】スリット付タオルの平面図である。
【図２】スリット付タオルの長辺方向中央部スリットＡ拡大図である。
【図３】スリット付タオルの短辺方向中央部右側スリットＢ拡大図である。
【図４】スリット付タオルの短辺方向中央部左側スリットＣ拡大図である。
【符号の説明】
【０００９】
１０    タオル全体図である。
２０   スリットＡの拡大図である。
３０   スリットＢの拡大図である。 
４０   スリットＣの拡大図である。
【図１】
2015047216.tif 000003
【図２】
2015047216.tif 000004
【図３】
2015047216.tif 000005
【図４】
2015047216.tif 000006
(57)【要約】【課題】カセットこんろ等のガスバーナにおいて、ターゲットを、点火電極に対して確実に所定の相対位置に固定すること。【解決手段】バーナ本体に固定した支持部材の先端部に、バーナキャップの歯と対向し且つバーナキャップの歯と間に所定間隔を設定したターゲットを形成するとともに、前記支持部材で点火電極を支持することで、ターゲットと点火電極とを単一の支持部材を介してバーナ本体に固定したことを特徴とする。【選択図】図2
2015017716.tif 000002
【特許請求の範囲】
【請求項１】
バーナ本体に固定した支持部材の先端部に、バーナキャップの歯と対向し且つバーナキャップの歯と間に所定間隔を設定したターゲットを形成するとともに、前記支持部材で点火電極を支持することで、ターゲットと点火電極とを単一の支持部材を介してバーナ本体に固定したことを特徴とするガスバーナ。
【発明の詳細な説明】
【技術分野】
【０００１】
本発明は、カセットこんろ等のガスバーナに関するものである。
【背景技術】
【０００２】
この種のガスコンロにおいては、特許文献１の第３図に示すごとく、金属製品としたバーナキャップと放電電極との間で、点火放電している。
特許文献１の特開昭63-73022号公報「バーナ」は、点火放電を確実とすべく、バーナキャップをセラミック製品とした場合について、バーナキャップの表面上に導電材料を付着している。
特許文献2の特開平6-272858号公報「ガスバーナ」は、点火電極よりの火花が飛ぶ ターゲットをバーナーキャップに設けている。
【先行技術文献】
【特許文献】
【０００３】
【特許文献１】特開昭63-73022号公報「バーナ」
【特許文献２】特開平6-272858号公報「ガスバーナ」
【発明の概要】
【発明が解決しようとする課題】
【０００４】
特許文献2の発明は、点火放電を確実とすべく、ターゲットの取付け位置を規制するためのターゲット固定構造を必要としている。
本発明は、ターゲットを、点火電極に対して確実に所定の相対位置に固定することを課題とする。
【課題を解決するための手段】
【０００５】
本発明は、バーナ本体に固定した支持部材の先端部に、バーナキャップの歯と対向し且つバーナキャップの歯と間に所定間隔を設定したターゲットを形成するとともに、前記支持部材で点火電極を支持する。
【発明の効果】
【０００６】
本発明は、ターゲットと点火電極とを、単一の支持部材に装備したから、ターゲットと点火電極との相対位置関係を確実に保持して、点火放電を確実にするとともに、ターゲットおよび点火電極の支持構造を簡素化してコスト低減をはかる効果を有する。
【図面の簡単な説明】
【０００７】
【図１】本発明のガスバーナの実施例を示す平面図。
【図２】本発明の要部であるところの、ターゲットおよび点火電極の支持構造を示す斜視図。
【図３】同じく正面図。
【図４】同じく側面図。
【図５】支持部材の斜視図。
【図６】同じく正面図。
【図７】同じく側面図。
【発明を実施するための形態】
【０００８】
以下、図面に示す実施例にもとづいて、本願発明を詳細に説明する。
【０００９】
図1を参照して、1はバーナ本体、2はバーナキャップ、3はバーナキャップの歯(炎口)、4は点火電極、5はターゲット、7は端子、10は支持部材である。
バーナ本体1およびバーナキャップ2は、金属製品(金属板のプレス加工、ダイキャスト金属成形品)である。
【００１０】
図2ないし図7を参照して、支持部材10は、バーナ本体1の周縁平面1aに固定される水平固定面11と、該水平固定面11と設定角度で、水平固定面11に連続している点火電極支持面12と、該点火電極支持面12の上端より延長されている左右一対の角片13とを含み、角片13の先端に連続してターゲット5が形成されて、ターゲット5と支持部材10は一体構造である。左右一対の角片13の間で、放電空間Hを形成している。
【００１１】
点火電極支持面12の左右側端より第1挟持片14,14および第2挟持片15,15を延長突出している。点火電極支持面12、第1挟持片14,14および第2挟持片15,15により、点火電極4のセラミックボディ6を包囲して、点火電極4と点火電極支持面12とを一体化している。
【００１２】
上記の構成により、バーナ本体1に固定した支持部材10の先端部に形成したターゲット5と、バーナキャップの歯3と間に所定間隔Lを設定するとともに、支持部材10は、点火電極4とターゲット5との相対位置を正確に設定して、点火電極4およびターゲット5を支持している。
【００１３】
かくして、放電空間Hに位置して、点火電極4とターゲット5との間の正確な放電を確保する。
【００１４】
ターゲット5を板状体として、ターゲットとバーナキャップの歯との間にガス溜を形成する。
【００１５】
かくして、点火電極4に接近してガス溜が形成されることで、一回の放電で確実に点火できて、点火電極4よる点火作用を確実にすることができる。
【産業上の利用可能性】
【００１６】
本願発明は、点火性能を向上させて確実に点火することにより、不点火の状態でガスが出っ放しになるなどの危険を回避し、安全安心にガス器具を使用できるようにするものである。
よって、ガス器具の使用を促進し、ガス器具製造業の発展に寄与するものである。
【符号の説明】
【００１７】
1               
バーナ本体
2               
バーナキャップ
3               
歯(炎口)
4               
点火電極
5               
ターゲット
6    セラミックボディ
10  支持部材
【図１】
2015017716.tif 000003
【図２】
2015017716.tif 000004
【図３】
2015017716.tif 000005
【図４】
2015017716.tif 000006
【図５】
2015017716.tif 000007
【図６】
2015017716.tif 000008
【図７】
2015017716.tif 000009
(57)【要約】【課題】本発明は、地すべり現場でのすべり面も含めて目的とする区間に作用する間隙水圧を測定するための遮水方法を提供する。【解決手段】次の（ａ）〜（ｅ）の手順に従って行われる、すべり面に作用する間隙水圧を測定するための遮水方法である。（ａ）掘削機によりケーシングで保孔しながらすべり面深度より１〜２ｍ浅く掘削する。（ｂ）掘削孔内にセメントミルクを充填し、孔底より適宜の厚さでセメンテーションする。（ｃ）セメントを養生し、完全に固結する前又は固結した後に掘削機でセメンテーション層及びすべり面深度より１〜２ｍ深く掘削する。（ｄ）すべり面付近より下の区間のみストレーナ加工した合成樹脂パイプを地上から挿入する。（ｅ）孔口止めを実施し、合成樹脂パイプ内にロープ、ワイヤー、チェーン等の索条を介して水位計をすべり面付近に設置する。【選択図】図１
2015017361.tif 000002
【特許請求の範囲】
【請求項１】
次の（ａ）〜（ｅ）の手順に従って行われることを特徴とするすべり面も含めて目的とする区間に作用する間隙水圧を測定するための遮水方法。
（ａ）掘削機によりケーシングで保孔しながらすべり面深度より１〜２ｍ浅く掘削する。
（ｂ）掘削孔内にセメントミルクを充填し、孔底より適宜の厚さでセメンテーションする。
（ｃ）セメントを養生し、完全に固結する前又は固結した後に掘削機でセメンテーション層及びすべり面深度より１〜２ｍ深く掘削する。
（ｄ）すべり面付近より下の区間のみストレーナ加工した合成樹脂パイプを地上から挿入する。
（ｅ）孔口止めを実施し、合成樹脂パイプ内にロープ、ワイヤー、チェーン等の索条を介して水位計をすべり面付近に設置する。
【発明の詳細な説明】
【技術分野】
【０００１】
本発明は、地すべり現場でのすべり面に作用する間隙水圧を測定するための遮水方法に関する。
【背景技術】
【０００２】
従来、地すべり現場での重要な調査の一つにすべり面付近における間隙水圧測定用の水位観測孔の設置がある。すべり面に作用する間隙水圧を測定するためには遮水ゾーンの形成が最も重要である。一般的には測定深度の上部をベントナイトや粘土など非透水性の充填物で埋め戻し、測定するべき地下水と他の地下水との遮断を行っているが、確実な遮水ゾーンの形成は狭いボーリング孔内が対象であること、且つ形成過程において充填の良否の確認も出来ないため容易な作業とはいえない。
そこで、地下水位観測孔の設置方法として、（１）水位を観測しようとする深度の直前までケーシングでボーリングを行い、（２）作業完了後、掘削孔内全体にセメントミルクを充填し、（３）セメントを３日間程度養生し、完全に固結する前にそのセメント柱をボーリングでくり抜いて目標深度まで掘進し、観測孔を形成し、（４）孔内に最深部をストレーナ区間としてＶＰ４０を挿入する、ことが試行されている（非特許文献１を参照）。
【０００３】
前述の地下水位観測孔の設置方法は、ボーリング延長が短く、垂直性を保つことが可能であったためセメント柱を作って遮水したが、ボーリング深度が大きくなると、掘削地層にもよるが孔曲がりを起こし、セメント柱の外壁をボーリング先端が突き破ることが考えられた。
本発明は、ボーリング深度の大きい掘削孔に適用できる、すべり面も含めて目的とする区間に作用する間隙水圧を測定するための遮水方法である。
【先行技術文献】
【非特許文献】
【０００４】
【非特許文献１】地すべり技術  Ｖｏｌ．２４，Ｎｏ．２（７１号），Ｐ５３−５４，１９９７年１１月
【発明の概要】
【発明が解決しようとする課題】
【０００５】
本発明は、地すべり現場でのすべり面に作用する間隙水圧を測定するための遮水方法を提供することを目的とする。
【課題を解決するための手段】
【０００６】
本発明のすべり面に作用する間隙水圧を測定するための遮水方法は、次の（ａ）〜（ｅ）の手順に従って行われる。
（ａ）掘削機によりケーシングで保孔しながらすべり面深度より１〜２ｍ浅く掘削する。
（ｂ）掘削孔内にセメントミルクを充填し、孔底より適宜の厚さでセメンテーションする。
（ｃ）セメントを養生し、完全に固結する前又は固結した後に掘削機でセメンテーション層及びすべり面深度より１〜２ｍ深く掘削する。
（ｄ）すべり面付近より下の区間のみストレーナ加工した合成樹脂パイプを地上から挿入する。
（ｅ）孔口止めを実施し、合成樹脂パイプ内にロープ、ワイヤー、チェーン等の索条を介して水位計をすべり面付近に設置する。
【発明の効果】
【０００７】
本発明のすべり面に作用する間隙水圧を測定するための遮水方法は、掘削孔のケーシングで地下水の浸入を防止し、掘削孔底部のセメンテーションにより地下水の浸入を完全に防止し、すべり面付近に水位計を設置してすべり面の水位を測定できるため、すべり面に作用する間隙水圧を確実に測定することができる効果がある。
【図面の簡単な説明】
【０００８】
【図１】本発明のすべり面に作用する間隙水圧を測定するための遮水方法の説明図である。
【発明を実施するための形態】
【０００９】
本発明のすべり面に作用する間隙水圧を測定するための遮水方法の一実施例を添付図面に基づいて、以下に説明する。
図１（ａ）〜（ｅ）の説明図に示すように、本発明のすべり面に作用する間隙水圧を測定するための遮水方法は、次の（ａ）〜（ｅ）の手順に従って行われる。
（ａ）ダウンザホールハンマ工法でφ３００ｍｍ程度の掘削機によりケーシング１で保孔しながらすべり面深度より１〜２ｍ浅く掘削する。
ダウンザホールハンマ工法は、エアコンプレッサーから供給される圧搾空気によりハンマ先端のビットを作動させて地層を打撃掘削すると同時に、ビットの先端部から排出する空気で掘削土を地上へ排除する工法である。掘削とケーシングの挿入を同時に行うことができ、前記ケーシング１は地上で溶接して継ぎ足す。
前記ケーシング１は、φ３００ｍｍ程度のガス管である。
【００１０】
（ｂ）掘削孔内にセメントミルクを充填し、孔底より適宜の厚さ、例えば５ｍの厚さでセメンテーション層２を形成する。その際、前記ケーシング１はそのままの状態か又は数ｍ、例えば４ｍ引き上げる。
【００１１】
（ｃ）セメントを養生し、完全に固結する前又は固結した後にφ６６ｍｍの掘削機でセメンテーション層２及びすべり面深度より１〜２ｍ深く掘削する。
【００１２】
（ｄ）すべり面付近より下の区間のみストレーナ加工した合成樹脂パイプ３を地上から挿入する。前記合成樹脂パイプ３は、ＶＰ４０（塩化ビニールパイプ、ＶＰ４０ミリ（肉厚管）、長さ１〜４ｍ）である。
【００１３】
（ｅ）地上の掘削開口に孔口止め４を実施し、前記合成樹脂パイプ３内にロープ、ワイヤー、チェーン等の索条を介して水位計５をすべり面付近に設置する。
【００１４】
このようにして、掘削孔の前記ケーシング１で周囲からの地下水の浸入を防止し、掘削孔底部のセメンテーション層２により地下水の浸入を完全に防止し、すべり面付近に水位計を設置してすべり面に作用する間隙水圧を確実に測定することができる。
【符号の説明】
【００１５】
１  ケーシング
２  セメンテーション層
３  合成樹脂パイプ
４  孔口止め
５  水位計
【図１】
2015017361.tif 000003
(57)【要約】      （修正有）【課題】近年増えてきた脱毛処理前後やアンダーヘアを整える人が感じる不快な短い毛の飛び出しを防止しチクチクとした感覚を和らげるショーツを提供する。【解決手段】ショーツの前身頃部分とマチ部分１に特殊素材２を設ける。【選択図】図１
2015017349.tif 000002
【特許請求の範囲】
【請求項１】
アンダーヘアを処理した後にショーツから飛び出るアンダーヘアを防ぎ、不快感を緩和する事に特価しそれを特徴とするショーツ。
【発明の詳細な説明】
【技術分野】
【０００１】  この発明は、アンダーヘアを処理（整える、剃る、または脱毛等）後に伸びてくる短い毛がショーツ（デザインの種類に関わらず肌に直接付ける下着、下穿き、パンティ。：以下ショーツとします。）から飛び出る事を防ぎ、また不快感を緩和する下穿きに関するものである。
【背景技術】
【０００２】  従来アンダーウエア処理前後のケアでこのような目的のものは作られていなかった。
【先行技術文献】
【０００３】
【特許文献】
【特許文献】なし
【発明の概要】
【発明が解決しようとする課題】
【０００４】  これは次のような欠点があった。
従来のショーツだと処理前の伸びてきた毛、または処理後の短い毛がショーツから突き出てきてしまう。
ものによっては処理前の伸びてきた毛、または処理後の短い毛が歩行などの軽い運動の際に肌とショーツとの摩擦により生じるチクチクとした不快感が生じてきてしまう。
本発明は、以上のような欠点を防ぐ為になされたものである。
【課題を解決するための手段】
【０００５】  ショーツの前身頃部分とマチ部分に特殊な素材を設ける。
本発明は、以上の構成によりなるショーツである。
【発明の効果】
【０００６】  ショーツの前身頃部分とマチ部分に特殊な素材を使用しているので、アンダーヘアを処理前の伸びてきた毛、処理後の短く残っている毛があっても、スポーツジムや大浴場等でショーツ姿になり、伸びてきた毛、短い毛がショーツを突き刺して飛び出しているといった恥ずかしい思いをすることがないので、他人の目を気にすることがない。
また、歩行などの軽い運動の際に肌とショーツとの摩擦により生じるチクチクとした不快感を和らげることができる。
見た目は一般的なショーツのデザインと同じ為、なんら変わりなく穿ける。
【図面の簡単な説明】
【０００７】
【図１】本発明の分解斜視図である。
【図２】本発明の前面から見た図である。
【発明を実地する為の形態】
【０００８】  以下、本発明を実地する為の形態について説明する。
ショーツの前身頃部分とマチ部分に特殊素材を設ける。
肌触りを考え綿混素材を肌側に設ける。
他部分はストレッチ素材等で一般的なショーツとかわりない動きに対応した資材を使い縫製する。
本発明品は、以上のような構造である。
本発明は近年増えるアンダーヘアの脱毛や整える人の処理前後のケアを目的とした発明である。
他の実地例を説明する。
生理用ナプキンのようなショーツに付着できるシートを普段使用するショーツに付けてアンダーヘアの飛び出しを防いでも良い。
【符号の説明】
【０００９】１  前身頃、マチ部分
２  特殊素材
３  ショーツ後素材
【図１】
2015017349.tif 000003
【図２】
2015017349.tif 000004
(57)【要約】      （修正有）【課題】ボルトをしめる時確実に固定できる様に３ケ所に設け上の点にもうひとつ計４カ所有ります。【解決手段】三つのケ所に、もうひとつ上に設けて計４ケ所で確実にボルトをこ定することが出来ます。三ケ所の三角と上の点黒丸が特徴とする。【選択図】図１
2015017698.tif 000002
【特許請求の範囲】
【請求項１】
三角形すみに三角を設け上に黒丸を設けることによりボルトを確実に閉める事が出来ます。日本国中
【発明の詳細な説明】
【技術分野】
【０００１】
【背景技術】
【０００２】従来、ボルトを固定するときに時間がかかっていた。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
固定するのに時間と労力が必要となって居たがネジの山をいためることなく確実にしめることができます。
【課題を解決するためめ手段】
【・・・・】
三つの角に三角形と上に黒丸をつけたことにより確実に早くボルトをしめる事が出来ます。
【発明の効果】
【・・・・】
最初にフリーハンドでボルトを閉めて行き最後に工具で閉めると早くボルトトのネジの山をいためずに確実に行なうことができます。
【図面の簡単な説明】
【・・・・】
【図１】
平面図
【図２】
側面図
【発明を実施するための形態】
【・・・・】
【実施例】
【・・・・】
【産業上の利用可能性】
【・・・・】
各種工業製品の為の三角ボルトで非常に有こうに使う事が出来ます。
【符号の説明】
【・・・・】
【受託番号】
【・・・・】
【図１】
2015017698.tif 000003
【図２】
2015017698.tif 000004
(57)【要約】【課題】高速回転化による発熱を抑制して軸受の耐久性を損ねることなく、軸受回転トルク増大を抑制した駆動装置を提供する。【解決手段】回転軸と前記回転軸を指示する軸受を縦型配置に備える駆動装置であって、前記軸受の軸方向下方より軸受摺動部に対して潤滑剤を噴射する給油ノズルと、前記軸受軸方向上方に前記軸受内に給油された潤滑剤を排出する排出穴と、を設けた給排油装置を備え、前記軸受軸方向上方にて前記軸受の摺動部を覆うとともに、前記軸受より排出される潤滑剤を前記排出穴へ導くガイド板を備える。【選択図】図１
2015017682.tif 000002
【特許請求の範囲】
【請求項１】
回転軸と前記回転軸を指示する軸受を縦型配置に備える駆動装置であって、前記軸受の軸方向下方より軸受摺動部に対して潤滑剤を噴射する給油ノズルと、前記軸受軸方向上方に前記軸受内に給油された潤滑剤を排出する排出穴と、を設けた給排油装置を備え、前記軸受軸方向上方にて前記軸受の摺動部を覆うとともに、前記軸受より排出される潤滑剤を前記排出穴へ導くガイド板を備えたことを特徴とする駆動装置。
【発明の詳細な説明】
【技術分野】
【０００１】
本発明は、ガスタービンエンジンや非常用排水ポンプなどの産業用駆動装置に関し、特に回転軸及び回転軸を支持している転がり軸受が、縦型に配置されている産業用駆動装置に関するものである。
【背景技術】
【０００２】
従来から、縦型配置のガスタービンエンジン、非常用排水ポンプなどの産業用駆動装置（以下、駆動装置と称する。）においては、高効率化、高出力化の要求から、タービン軸やポンプ軸などの回転軸の高速回転化が求められていた。しかしながら高速回転化によって回転軸を支持する軸受の発熱の問題が重要な課題となっていた。これを解決する手段として、例えば図２に示す特許文献１においては、軸受２０の潤滑方法にオイル潤滑方式を採用した技術がある。これは、給油装置４０に設けた給油ノズル４２から軸受の内輪２１外周面、転動体２４及び外輪２２内周面の軸受の摺動面に対して潤滑剤を噴射する。軸受の摺動面で適宜潤滑した後、外輪２２に設けた排油溝２２ａへ潤滑剤を排出する構造であるため、図示しない軸の高速回転による軸受の攪拌抵抗による過度の発熱を抑制している。
【先行技術文献】
【特許文献】
【０００３】
【特許文献１】特開２００５−１８０６６９号公報
【発明の概要】
【発明が解決しようとする課題】
【０００４】
しかしながら、特許文献１の構造を採用した縦型配置の駆動装置においては、装置内の他部品によるオイルが回転軸を支持する軸受などに上方から降り注ぎ、軸受上にオイルが溜まる。このオイル溜まりが軸受回転の攪拌抵抗及び発熱源となり、軸受の耐久性に影響するとともに、軸受の回転トルクが増大する懸念があった。
【０００５】
本発明は、上述した課題に鑑みてなされたものであり、その目的は、高速回転化による発熱を抑制して軸受の耐久性を損ねることなく、軸受回転トルク増大を抑制した駆動装置を提供することにある。
【課題を解決するための手段】
【０００６】
そこで上記の課題を解決するために、本発明は、回転軸と前記回転軸を指示する軸受を縦型配置に備える駆動装置であって、前記軸受の軸方向下方より軸受摺動部に対して潤滑剤を噴射する給油ノズルと、前記軸受軸方向上方に前記軸受内に給油された潤滑剤を排出する排出穴と、を設けた給排油装置を備え、前記軸受軸方向上方にて前記軸受の摺動部を覆うとともに、前記軸受より排出される潤滑剤を前記排出穴へ導くガイド板を備えたことを特徴とする。
【発明の効果】
【０００７】
本発明の駆動装置によれば、軸受に給排油装置を備えたので軸受の高速化に際しても、発熱を抑制出来て、軸受の耐久性を確保できる。また、軸受の摺動部を覆うように前記軸受の軸方向上方においてガイド板を設けたので、潤滑剤過多による軸受回転トルクの増大と軸受の発熱を抑制することができる。
【図面の簡単な説明】
【０００８】
【図１】本発明に係る駆動装置の軸受周辺図である。
【図２】従来の軸受の潤滑構造を示す図である。
【発明を実施するための形態】
【０００９】
以下、本発明の一実施形態に係る駆動装置について図面を参照しながら説明する。
【００１０】
図１に示すように、ガスタービンエンジンや非常用排水ポンプなどの駆動装置１の回転軸周辺は、回転軸２が軸受３を介して駆動装置１のハウジング内に縦型に配置されている。
【００１１】
前記軸受３は、外輪３ａと、内輪３ｂと、前記外輪と前記内輪間にあって前記外輪と前記内輪とを相対回転可能にさせる複数の転動体３ｃとを備えている。また、前記軸受３の軸方向下方には、前記転動体３ｃに潤滑剤を供給する給油ノズル４が設けられ、前記軸受３の軸方向上方には、軸受３に供給された潤滑剤を排出させる排出穴５が設けられている。
【００１２】
また、軸受軸方向上方の回転軸にはガイド板６が取り付けられており、軸受の内輪や転動体及び外輪の一部などの軸受摺動部が覆われている。この構成により、軸受軸方向上方より駆動装置１の他部品に起因するオイルミスト等が軸受摺動部に降り注ぐことを防止し、ガイド板６に付着したオイルミスト等を前記回転軸２に取り付けられているガイド板６の遠心力により前記排出穴５へ振り飛ばすことができる。
【００１３】
また、ガイド板６の軸受に対向する面６ａを排出穴へ向け傾斜させることにより、軸受より排出される潤滑剤を効果的に軸受外に排出することが可能となる。
【００１４】
以上、本発明の駆動装置の構造について詳細に説明したが、本発明は、以上の例には限定されず、本発明の要旨を逸脱しない範囲において、各種の改良や変形を行ってもよいのはもちろんである。
【符号の説明】
【００１５】
１…駆動装置
２…回転軸
３…軸受
４…給油ノズル
５…排出穴
６…ガイド板
【図１】
2015017682.tif 000003
【図２】
2015017682.tif 000004